(57)【要約】【課題】地上波デジタル放送を２つの伝送方式で受信しても、放送チャンネルごとにいずれか一方の伝送方式に決定可能な構成を提供する。【解決手段】第１伝送方式で送られて来た信号の選局および復調を行い、第１ＴＳ信号を出力する第１チューナ部と、第２伝送方式で送られて来た信号の選局および復調を行い、第２ＴＳ信号を出力する第２チューナ部と、ある放送チャンネルに対し、第１および第２ＴＳ信号の両方が存在する場合、いずれを優先させるかを表す優先伝送方式情報を、あらかじめ記憶する記憶部と、優先伝送方式情報、第１ＴＳ信号、および第２ＴＳ信号に基づいて、伝送方式を選択し、選択伝送方式情報を生成する伝送方式選択部と、選択伝送方式情報に基づいて、第１ＴＳ信号または第２ＴＳ信号のいずれか一方を選択するＴＳ信号選択部と、を有する【選択図】図１
2008206112.tif 000002
【特許請求の範囲】
【請求項１】
第１伝送方式で送られて来た信号の選局および復調を行い、第１トランスポートストリーム信号を出力する第１チューナ部と、
第２伝送方式で送られて来た信号の選局および復調を行い、第２トランスポートストリーム信号を出力する第２チューナ部と、
ある放送チャンネルに対し、第１トランスポートストリーム信号および第２トランスポートストリーム信号の両方が存在する場合、いずれを優先させるかを表す優先伝送方式情報を、あらかじめ記憶する記憶部と、
優先伝送方式情報、第１トランスポートストリーム信号、および第２トランスポートストリーム信号に基づいて、伝送方式を選択し、選択伝送方式情報を生成する伝送方式選択部と、
選択伝送方式情報に基づいて、第１トランスポートストリーム信号または第２トランスポートストリーム信号のいずれか一方を選択するトランスポートストリーム信号選択部と、を有することを特徴する、ケーブルテレビ受信機。
【請求項２】
前記記憶部は、選択伝送方式情報を記憶することを特徴とする、請求項１に記載のケーブルテレビ受信機。
【請求項３】
さらに、電源スイッチのオン／オフ状態を表す電源状態信号を生成する電源状態検出部を有し、
前記伝送方式選択部は、電源状態信号がオン状態になると、前記記憶部から、選択伝送方式情報を読み出すことを特徴する、請求項２に記載のケーブルテレビ受信機。
【請求項４】
前記第１チューナ部は、第１トランスポートストリーム信号の品質状態を表す第１品質状態信号を生成する第１品質状態検出部を含み、
前記第２チューナ部は、第２トランスポートストリーム信号の品質状態を表す第２品質状態信号を生成する第２品質状態検出部を含み、
前記伝送方式選択部は、第１品質状態信号および第２品質状態信号を比較し、品質状態がより良好なトランスポートストリーム信号に基づいて、伝送方式を選択することを特徴とする、請求項１に記載のケーブルテレビ受信機。
【請求項５】
さらに、伝送方式を選択する画面表示信号を生成する伝送方式選択画面生成部を有し、
前記伝送方式選択部は、優先伝送方式情報が表す伝送方式に対応する品質状態が、他方よりも悪化すると、画面表示命令信号を生成し、
前記伝送方式選択画面生成部は、画面表示命令信号に基づいて、画面表示信号を生成することを特徴とする、請求項４に記載のケーブルテレビ受信機。
【請求項６】
さらに、電源スイッチのオン／オフ状態を表す電源状態信号を生成する電源状態検出部を有し、
前記伝送方式選択部は、電源状態信号がオフ状態になると、第１品質状態信号と第２品質状態信号に基づいて、伝送方式を選択することを特徴とする、請求項４に記載のケーブルテレビ受信機。
【請求項７】
さらに、選択伝送方式情報をケーブルテレビ局に送るネットワーク制御部を有することを特徴とする、請求項１に記載のケーブルテレビ受信機。
【請求項８】
前記伝送方式選択部は、選択伝送方式情報が表す伝送方式の変更要求を、前記ネットワーク制御部がケーブルテレビ局から受けると、他方の伝送方式を選択することを特徴とする、請求項７に記載のケーブルテレビ受信機。
【請求項９】
前記伝送方式選択部は、
第１トランスポートストリーム信号および第２トランスポートストリーム信号に基づいて、番組情報を表す第１プログラムインフォメーション信号および第２プログラムインフォメーション信号をそれぞれ生成するデコーダ部と、
優先伝送方式情報、第１トランスポートストリーム信号、および第２トランスポートストリーム信号に基づいて、伝送方式を選択し、選択伝送方式情報を生成するチャンネルリスト制御部と、を含むことを特徴とする、請求項１に記載のケーブルテレビ受信機。
【請求項１０】
第１伝送方式および第２伝送方式は、それぞれ直交振幅変調方式および直交周波数分割多重方式であることを特徴する、請求項１に記載のケーブルテレビ受信機。
【請求項１１】
さらに、選択されたトランスポートストリーム信号を処理し、映像信号を出力する信号処理部を有することを特徴する、請求項１に記載のケーブルテレビ受信機。
【請求項１２】
第１伝送方式で送られて来た信号の選局および復調を行い、第１トランスポートストリーム信号を出力するステップと、
第２伝送方式で送られて来た信号の選局および復調を行い、第２トランスポートストリーム信号を出力するステップと、
ある放送チャンネルに対し、第１トランスポートストリーム信号および第２トランスポートストリーム信号の両方が存在する場合、いずれを優先させるかを表す優先伝送方式情報を、あらかじめ記憶するステップと、
優先伝送方式情報、第１トランスポートストリーム信号、および第２トランスポートストリーム信号に基づいて、伝送方式を選択し、選択伝送方式情報を生成するステップと、
選択伝送方式情報に基づいて、第１トランスポートストリーム信号または第２トランスポートストリーム信号のいずれか一方を選択するステップと、を有することを特徴する、ケーブルテレビ受信方法。
【発明の詳細な説明】
【技術分野】
【０００１】
本発明は、地上デジタル放送をケーブルテレビ経由で２種類の伝送方式により受信する技術に関し、さらに詳しくはケーブルテレビ受信機およびケーブルテレビ受信方法の技術に関する。
【背景技術】
【０００２】
従来は、地上デジタル放送を、トランスモジュレーション方式、もしくはパススルー方式のいずれの伝送方式で受信するかについて、全放送チャンネルでまとめて判断していた。この為、放送チャンネルごとにどちらの伝送方式にするかについて、判断することができなかった。そのため、従来のケーブルテレビ受信機では、特許文献１に記載の図６のようにステップＳ４０４及びステップＳ４０７において、地上デジタル放送がどちらかの伝送方式で受信できれば、チャンネル設定は完了していた。
【特許文献１】特開２００５−１６７７３７号公報
【発明の開示】
【発明が解決しようとする課題】
【０００３】
しかしながら、特に地上デジタル放送では、ケーブルテレビ局の送出運用において、両方の伝送方式を用いて同じチャンネルの放送を行い、受信機において両方の伝送方式で受信させる運用が想定される。
【０００４】
上述した従来の構成では、放送チャンネルごとに採用する伝送方式を決定できないだけでなく、両伝送方式が同一放送チャンネルによる場合に、どちらの伝送方式を優先して受信対象とするかについて決定できないという課題を有していた。
【０００５】
本発明は、上述した従来の課題を解決するもので、地上デジタル放送を２つの伝送方式で受信しても、放送チャンネルごとにいずれか一方の伝送方式に決定することができるケーブルテレビ受信機およびケーブルテレビ受信方法を提供することを目的とする。
【課題を解決するための手段】
【０００６】
上述した目的を達成するために、本発明のケーブルテレビ受信機は、第１伝送方式で送られて来た信号の選局および復調を行い、第１トランスポートストリーム信号を出力する第１チューナ部と、第２伝送方式で送られて来た信号の選局および復調を行い、第２トランスポートストリーム信号を出力する第２チューナ部と、ある放送チャンネルに対し、第１トランスポートストリーム信号および第２トランスポートストリーム信号の両方が存在する場合、いずれを優先させるかを表す優先伝送方式情報を、あらかじめ記憶する記憶部と、優先伝送方式情報、第１トランスポートストリーム信号、および第２トランスポートストリーム信号に基づいて、伝送方式を選択し、選択伝送方式情報を生成する伝送方式選択部と、選択伝送方式情報に基づいて、第１トランスポートストリーム信号または第２トランスポートストリーム信号のいずれか一方を選択するトランスポートストリーム信号選択部と、を有することを特徴としている。
【０００７】
また、本発明のケーブルテレビ受信方法は、第１伝送方式で送られて来た信号の選局および復調を行い、第１トランスポートストリーム信号を出力するステップと、第２伝送方式で送られて来た信号の選局および復調を行い、第２トランスポートストリーム信号を出力するステップと、ある放送チャンネルに対し、第１トランスポートストリーム信号および第２トランスポートストリーム信号の両方が存在する場合、いずれを優先させるかを表す優先伝送方式情報を、あらかじめ記憶するステップと、優先伝送方式情報、第１トランスポートストリーム信号、および第２トランスポートストリーム信号に基づいて、伝送方式を選択し、選択伝送方式情報を生成するステップと、選択伝送方式情報に基づいて、第１トランスポートストリーム信号または第２トランスポートストリーム信号のいずれか一方を選択するステップと、を有することを特徴としている。
【発明の効果】
【０００８】
本発明のケーブルテレビ受信機およびケーブルテレビ受信方法によれば、同一放送チャンネルを２つの伝送方式で受信した場合でも、ＴＳ信号を、優先伝送方式情報により一義的に選択することが可能となる。ケーブルテレビ局は、ケーブルテレビ局の要求仕様に従って各加入者宅のケーブルテレビ受信機を、ケーブルテレビ局から集中的に設定することができる。また、ケーブルテレビ受信機の電源がオフされ、その後オンされても、選択伝送方式情報は保持され、ＴＳ信号選択部は、２つのＴＳ信号のうち、電源がオフされる前と同一のＴＳ信号を選択することが可能になる。
【０００９】
さらに、優先伝送方式のエラーレートが悪化している場合、非優先伝送方式を選択でき、また、優先伝送方式のエラーレートが悪化している原因が一時的とわかっている場合には、引き続き優先伝送方式を選択することもできる。このように諸条件が重なって、一義的な判断が困難な場合でも、設置者による判断を加えることができ、柔軟に対応可能となる。さらに、電源スイッチがオフされるごとにエラーレートを検査するため、タイマーを必要とせず、また、電源スイッチのオフ後に伝送方式を変更するため、ＴＳ信号選択部の選択実行に悪影響を与えず、映像障害を発生させない。
【００１０】
さらに、ケーブルテレビ局は、ケーブルを介して各加入者宅のケーブルテレビ受信機における選択伝送方式情報の状態を把握し、適切な判断の下に、選択伝送方式を変更することが可能となる。以上のように、放送チャンネルごとに最良の伝送方式を決定することが可能となり、視聴者やケーブルテレビ局にとって、最良の伝送方式で視聴することができる。
【発明を実施するための最良の形態】
【００１１】
以下、本発明を実施するための最良の形態に関するいくつかの例について、図面を参照しながら説明する。なお、図面において、実質的に同一の構成、動作、および効果を表す要素については、同一の符号を付す。また、以下において記述される数字は、すべて本発明を具体的に説明するために例示するものであり、本発明は例示された数字に制限されない。さらに、構成要素間の接続関係は、本発明を具体的に説明するために例示するものであり、本発明の機能を実現する接続関係はこれに限定されない。また、以下の実施の形態は、ハードウェアおよび／またはソフトウェアを用いて構成されるが、ハードウェアを用いる構成は、ソフトウェアを用いても構成可能であり、ソフトウェアを用いる構成は、ハードウェアを用いても構成可能である。
【００１２】
（実施の形態１）
図１は、本発明の実施の形態１におけるＣＡＴＶ受信機２（ケーブルテレビ受信機とも呼ぶ）を含むＣＡＴＶシステムのブロック図である。図１において、ＣＡＴＶ局１（ケーブルテレビ局またはヘッドエンドとも呼ぶ）は、地上デジタル放送信号Ｑ１Ａを受信し、地上デジタル放送信号Ｑ１Ａを含むＣＡＴＶ信号Ｑ１Ｂを、ケーブル経由で各加入者宅のＣＡＴＶ受信機２に伝送する。デジタル放送信号は、伝送する前に、伝送路に合わせた変調方式を用いてデジタル変調される。日本では、地上デジタル放送に、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式、ケーブルテレビに、直交振幅変調（ＱＡＭ：Ｑｕａｄｒａｔｕｒｅ  Ａｍｐｌｉｔｕｄｅ  Ｍｏｄｕｌａｔｉｏｎ）方式が採用されている。
【００１３】
ＣＡＴＶ信号Ｑ１Ｂは、９０ＭＨｚから７７０ＭＨｚまでのＣＡＴＶ周波数帯域を有し、大略６ＭＨｚごとの周波数チャンネルに分割される。このようなＣＡＴＶ信号Ｑ１Ｂを介して地上デジタル放送信号Ｑ１Ａを伝送する場合、トランスモジュレーション方式とパススルー方式の２つのデジタル伝送方式が用いられる。トランスモジュレーション方式は、ＣＡＴＶ局１においてＯＦＤＭ方式で変調されている地上デジタル放送信号Ｑ１Ａを復調し、ＱＡＭ方式に再変調して伝送する方式である。パススルー方式は、ＯＦＤＭ方式で変調されている地上デジタル放送信号Ｑ１Ａを、ＯＦＤＭ方式のまま伝送する方式である。
【００１４】
地上デジタル放送信号Ｑ１Ａは、例えばＮＨＫデジタル総合テレビなど、１つ以上の放送チャンネルの信号を含む。ＣＡＴＶ局１は、このうち少なくとも１つの放送チャンネル信号を、トランスモジュレーション方式とパススルー方式の両伝送方式により処理し、それぞれトランスモジュレーション信号とパススルー信号を生成する。ＣＡＴＶ局１は、同一放送チャンネルに基づくトランスモジュレーション信号およびパススルー信号を、それぞれ別々の周波数チャンネルを介して伝送する。
【００１５】
ＣＡＴＶ受信機２は、トランスモジュレーションチューナ部１０１、パススルーチューナ部１０３、選局制御部１０５、デコーダ部１０６、チャンネルリスト制御部１０７、記憶部１０９、伝送方式選択画面生成部１１０、電源状態検出部１１１、ネットワーク制御部１１２、ＴＳ信号選択部１１４（トランスポートストリーム信号選択部とも呼ぶ）、および信号処理部１１５を含む。トランスモジュレーションチューナ部１０１は品質状態検出部１０２を含み、パススルーチューナ部１０３は品質状態検出部１０４を含む。チャンネルリスト制御部１０７は、チャンネルリスト保持部１０８を含む。デコーダ部１０６およびチャンネルリスト制御部１０７は、まとめて伝送方式選択部とも呼ばれる。
【００１６】
トランスモジュレーションチューナ部１０１およびパススルーチューナ部１０３は、それぞれＣＡＴＶ信号Ｑ１Ｂを入力する。トランスモジュレーションチューナ部１０１は、ＣＡＴＶ信号Ｑ１Ｂの受信レベルが所定値以上の周波数チャンネルの中からトランスモジュレーション信号を受信し、トランスポートストリーム形式のＴＳ（Ｔｒａｎｓｐｏｒｔ  Ｓｔｒｅａｍ：トランスポートストリーム）信号Ｑ１０１に復調し、デコーダ部１０６に出力する。受信レベルが所定値以上の周波数チャンネルは、受信可能周波数チャンネルとも呼ばれる。
【００１７】
品質状態検出部１０２は、受信中のトランスモジュレーション信号を定期的に検出し、エラー情報を検出することにより、品質状態情報を表す品質状態信号Ｑ１０２を生成する。品質状態検出部１０２は、チャンネルリスト制御部１０７からの品質状態情報の要求に対して、品質状態信号Ｑ１０２をチャンネルリスト制御部１０７に提供する。品質状態信号Ｑ１０２は、代表的には、トランスモジュレーション信号またはＴＳ信号Ｑ１０１のエラーレートを表す。また品質状態信号Ｑ１０２は、トランスモジュレーション信号の振幅電圧またはアイ開口率など、品質状態情報を表すものであれば、いずれであってもよい。
【００１８】
パススルーチューナ部１０３は、ＣＡＴＶ信号Ｑ１Ｂの受信可能周波数チャンネルの中からパススルー信号を受信し、トランスポートストリーム形式のＴＳ信号Ｑ１０３に復調し、デコーダ部１０６に出力する。
【００１９】
品質状態検出部１０４は、受信中のパススルー信号を定期的に検出し、エラー情報を検出することにより、品質状態情報を表す品質状態信号Ｑ１０４を生成する。品質状態検出部１０４は、チャンネルリスト制御部１０７からの品質状態情報の要求に対して、品質状態信号Ｑ１０４をチャンネルリスト制御部１０７に提供する。品質状態信号Ｑ１０４は、代表的には、パススルー信号またはＴＳ信号Ｑ１０３のエラーレートを表す。また品質状態信号Ｑ１０４は、パススルー信号の受信電力または同期確立度合など、品質状態情報を表すものであれば、いずれであってもよい。
【００２０】
選局制御部１０５は、トランスモジュレーションチューナ部１０１およびパススルーチューナ部１０３における選局を制御する選局制御信号Ｑ１０５を生成する。加入者宅においてＣＡＴＶ受信機２が設置された時点で、チャンネルリスト制御部１０７は、設置者の設定により、初期スキャンの開始を指示する初期スキャン開始信号Ｑ１０７Ｃを生成する。選局制御部１０５は、初期スキャン開始信号Ｑ１０７Ｃが生成されると、初期スキャンを表す選局制御信号Ｑ１０５を生成する。
【００２１】
初期スキャンとは、ケーブルに接続されるＣＡＴＶ受信機２を、ＣＡＴＶ信号Ｑ１Ｂの周波数チャンネルおよび放送チャンネルに適合させるために行う初期動作である。トランスモジュレーションチューナ部１０１およびパススルーチューナ部１０３は、選局制御信号Ｑ１０５に基づいて、上述したＣＡＴＶ周波数帯域内の各周波数チャンネルを、周波数配列の順に選局する。
【００２２】
ＣＡＴＶ信号Ｑ１Ｂの受信レベルが所定値未満の周波数チャンネルは、スキップされる。これにより、ＣＡＴＶ受信機２の周波数チャンネル構成をＣＡＴＶ局１が配信する周波数チャンネル構成に適合させることができる。代表的には、トランスモジュレーションチューナ部１０１において初期スキャンを完了させた後、引き続き、パススルーチューナ部１０３において初期スキャンを行う。
【００２３】
デコーダ部１０６は、ＴＳ信号Ｑ１０１、Ｑ１０３に含まれる番組情報を表すＳＩ／ＰＳＩ信号Ｑ１０６Ａ、Ｑ１０６Ｂ（プログラムインフォメーション信号とも呼ばれる）を、それぞれ検出する。番組情報には、番組配列情報（ＳＩ：Ｓｅｒｖｉｃｅ  Ｉｎｆｏｒｍａｔｉｏｎ）および番組特定情報（ＰＳＩ：Ｐｒｏｇｒａｍ  Ｓｐｅｃｉｆｉｃ  Ｉｎｆｏｒｍａｔｉｏｎ）が含まれる。デコーダ部１０６は、受信可能周波数チャンネルの各ＳＩ／ＰＳＩ信号Ｑ１０６Ａ、Ｑ１０６Ｂを、チャンネルリスト制御部１０７に出力する。
【００２４】
チャンネルリスト制御部１０７は、各ＳＩ／ＰＳＩ信号Ｑ１０６Ａ、Ｑ１０６Ｂに基づいて、受信可能周波数チャンネルに対応する放送チャンネルを検出する。すなわち、放送チャンネルごとに、トランスモジュレーション方式およびパススルー方式に分けて、受信可能周波数チャンネルが特定される。同一の放送チャンネルに対して、トランスモジュレーション方式だけの場合、パススルー方式だけの場合、およびトランスモジュレーション方式とパススルー方式の両方式の場合の３通りが存在する。
【００２５】
チャンネルリスト制御部１０７は、その検出結果および各ＳＩ／ＰＳＩ信号Ｑ１０６Ａ、Ｑ１０６Ｂに含まれるその他の情報を、チャンネルリスト制御部１０７内のチャンネルリスト保持部１０８に送る。チャンネルリスト保持部１０８は、放送チャンネルごとに、伝送方式の種類およびチャンネル情報をリスト化したチャンネルリストを保持する。このチャンネルリストは、更新が可能であるため、更新可能チャンネルリストとも呼ばれる。チャンネルリスト保持部１０８は、チャンネルリスト制御部１０７の指示に基づいて、受信可能チャンネルごとに、更新可能チャンネルリストを更新する。チャンネルリスト保持部１０８は、代表的にはダイナミックメモリ（ＤＲＡＭ：Ｄｙｎａｍｉｃ  Ｒａｎｄｏｍ  Ａｃｃｅｓｓ  Ｍｅｍｏｒｙ）等の揮発性メモリで構成される。
【００２６】
また、チャンネルリスト制御部１０７は、各ＳＩ／ＰＳＩ信号Ｑ１０６Ａ、Ｑ１０６Ｂに基づいて地上デジタル放送チャンネルと判断した場合、品質状態検出部１０２、１０４から、それぞれ品質状態信号Ｑ１０２、Ｑ１０４を取得する。チャンネルリスト制御部１０７は、各品質状態信号Ｑ１０２、Ｑ１０４が表すエラーレートを、チャンネルリスト保持部１０８の更新可能チャンネルリストに追記する。
【００２７】
チャンネルリスト制御部１０７は、チャンネルリスト保持部１０８で保持された更新可能チャンネルリストを、書き込み信号Ｑ１０７Ａを介して記憶部１０９に書き込む。記憶部１０９は、代表的にはフラッシュメモリまたはハードディスクのような不揮発性メモリであり、情報を記憶できる機能を有している。また、プログラム（ソフトウェア）で記憶されている場合、不揮発性メモリと揮発性メモリで構成し、不揮発性メモリに記憶されているプログラムを、プログラムの起動時に揮発性メモリに読み込むようにしてもよい。
【００２８】
ＣＡＴＶ局１における事前の設定に基づいて、トランスモジュレーション方式とパススルー方式の両伝送方式は、優先すべき伝送方式（以下、優先伝送方式と呼ぶ）と優先すべきでない伝送方式（以下、非優先伝送方式と呼ぶ）に分類される。放送チャンネルごとの優先伝送方式のリストを、優先チャンネルリストと呼ぶ。記憶部１０９は、更新可能チャンネルリスト以外に、優先チャンネルリストを、代表的には工場での製造時に書き込む。優先チャンネルリストは、更新可能チャンネルリストのように初期スキャン時に更新することはできず、あらかじめ定められた内容で記憶されている。記憶される形式は、データ形式もしくはプログラム（ソフトウェア）形式のどちらであってもよい。
【００２９】
チャンネルリスト制御部１０７は、記憶部１０９から優先チャンネルリストを、読み出し信号Ｑ１０９を介して取得し、チャンネルリスト保持部１０８に送る。すなわち、チャンネルリスト保持部１０８は、各品質状態信号Ｑ１０２、Ｑ１０４を含む更新可能チャンネルリストと、優先チャンネルリストの両方を備える。
【００３０】
さらに、チャンネルリスト制御部１０７は、更新可能チャンネルリスト、優先チャンネルリスト、および後述するその他の情報に基づいて、放送チャンネルごとに実際に選択すべき伝送方式（以下、選択伝送方式と呼ぶ）を判断する。判断結果は、チャンネルリスト保持部１０８において、選択チャンネルリスト（選択伝送方式情報とも呼ぶ）としてリスト化される。選択チャンネルリストは、後述するように、更新することが可能である。チャンネルリスト保持部１０８が備える、更新可能チャンネルリスト、優先チャンネルリスト、および選択チャンネルリストは、まとめて全チャンネルリストと呼ばれる。
【００３１】
地上デジタル放送の同一放送チャンネルにおいて、トランスモジュレーション方式とパススルー方式の両伝送方式を検出する場合、チャンネルリスト制御部１０７は、両伝送方式のエラーレート、および優先伝送方式／非優先伝送方式の情報を、チャンネルリスト保持部１０８から入手する。チャンネルリスト制御部１０７は、入手した情報に基づいて選択伝送方式を決定し、選択伝送方式情報をチャンネルリスト保持部１０８に格納する。一例では、優先伝送方式が選択伝送方式として無条件に決定される。別の例では、エラーレートの低い伝送方式が選択伝送方式として決定される。
【００３２】
また、ＣＡＴＶ局のメンテナンス等の影響で、ある放送チャンネルの品質状態が通常の状態から変化し、優先伝送方式が、非優先伝送方式よりも品質状態が良好でない場合が生じる。この場合、チャンネルリスト制御部１０７は、この放送チャンネル番号と、各品質状態信号Ｑ１０２、Ｑ１０４とを表す伝送方式選択信号Ｑ１１０Ａを、伝送方式選択画面生成部１１０に送る。
【００３３】
伝送方式選択画面生成部１１０は、伝送方式選択信号Ｑ１１０Ａに基づいて、例えば図４のように、放送チャンネル番号、トランスモジュレーション方式のエラーレート、およびパススルー方式のエラーレートを表す画面選択信号Ｑ１１０Ｂを表示部３に送る。図４では、トランスモジュレーション方式のエラーレートがゼロ、およびパススルー方式のエラーレートが１×１０−８であることを示している。
【００３４】
表示部３は、例えばテレビ受像機またはパソコンモニタのように、画像表示できる機能を有し、画面選択信号Ｑ１１０Ｂに基づく画像を表示する。代表的には、各加入者宅にＣＡＴＶ受信機２を設置するＣＡＴＶ局１の設置者が、表示部３に表示される図４のような画像から判断し、例えばエラーレートが低い伝送方式を選択する。優先伝送方式のエラーレートが非優先伝送方式より悪くても、事前にエラーレートの低下原因が一時的と分かっていれば、エラーレートが高めであっても優先伝送方式を選択する場合もある。
【００３５】
選択された伝送方式は、選択伝送方式である。選択伝送方式情報は、リモートコントロールまたはＣＡＴＶ受信機２のスイッチを介して、チャンネルリスト制御部１０７に送られる。チャンネルリスト制御部１０７は、この選択伝送方式情報に基づいて、チャンネルリスト保持部１０８の選択チャンネルリストを更新する。
【００３６】
電源状態検出部１１１は、ＣＡＴＶ受信機２の電源スイッチにおけるオン／オフの状態を検出し、オン／オフ状態を表す電源状態信号Ｑ１１１を、チャンネルリスト制御部１０７に通知する。電源状態検出部１１１は、電源スイッチがオフされると、電源状態信号Ｑ１１１をオフ状態にする。電源状態信号Ｑ１１１がオン状態からオフ状態に切り替わっても、ＣＡＴＶ受信機２の中で、少なくともトランスモジュレーションチューナ部１０１、パススルーチューナ部１０３、チャンネルリスト制御部１０７、記憶部１０９、およびネットワーク制御部１１２の電源は、所定の電源維持期間の間、オン状態を維持し、その後、実際にＣＡＴＶ受信機２の全電源をオフする。
【００３７】
初期スキャン終了後、電源スイッチがオフされるごとに電源維持期間の間、チャンネルリスト制御部１０７は、チャンネルリスト保持部１０８に含まれる全チャンネルリストを検査する。その際、チャンネルリスト制御部１０７は、優先伝送方式のエラーレートが非優先伝送方式のエラーレートよりも低い場合、優先伝送方式を選択伝送方式とし、選択伝送方式の更新情報をチャンネルリスト保持部１０８に提供する。チャンネルリスト保持部１０８は、この更新情報に基づいて選択チャンネルリストを更新する。
【００３８】
チャンネルリスト制御部１０７は、品質状態信号Ｑ１０２、Ｑ１０４の表すエラーレートを、それぞれ品質状態検出部１０２、１０４から、電源維持期間の間に入手してもよいし、電源オン期間において定期的に入手してもよい。いずれにしても、チャンネルリスト制御部１０７は、チャンネルリスト保持部１０８に対して、最新のエラーレート状態を提供する。
【００３９】
ネットワーク制御部１１２は、初期スキャンを終了する時点で、チャンネルリスト保持部１０８から、ネットワークの上層信号を表すネットワーク上層信号Ｑ１１２Ａを介して、全チャンネルリストを入手する。同時に、ネットワーク制御部１１２は、管理情報データベース（ＭＩＢ：Ｍａｎａｇｅｍｅｎｔ  Ｉｎｒｏｍａｔｉｏｎ  Ｂａｓｅ）を用い、ネットワークの下層信号を表すネットワーク下層信号Ｑ１１２Ｂを介して、入手した全チャンネルリストをＣＡＴＶ局１にアップロードする。アップロードする全チャンネルリストには、少なくとも選択チャンネルリストが含まれるとともに、２つの伝送方式で受信した放送チャンネルの情報も含まれる。
【００４０】
ＣＡＴＶ局１は、ＣＡＴＶ受信機２が非優先伝送方式を選択伝送方式としていた場合、ＣＡＴＶ受信機２に対して、ＭＩＢを用いて、優先伝送方式への変更要求を出すことが可能である。ＣＡＴＶ局１が変更要求を出した場合、ネットワーク制御部１１２は、ネットワーク下層信号Ｑ１１２Ｂを介して、変更要求を受信し、チャンネルリスト制御部１０７に選択チャンネルリストの変更要求を提出する。チャンネルリスト制御部１０７は、電源維持期間の間に、ネットワーク制御部１１２から要求された選択チャンネルリストの変更要求に基づいて、チャンネルリスト保持部１０８の選択チャンネルリストを更新する。
【００４１】
さらに、チャンネルリスト制御部１０７は、電源維持期間の間に、書き込み信号Ｑ１０７Ａを介して全チャンネルリストを記録部１０９に書き込む。書き込まれる全チャンネルリストには、少なくとも選択チャンネルリストが含まれる。
【００４２】
電源スイッチがオンされると、電源状態検出部１１１は、ＣＡＴＶ受信機２の電源電圧が所定値以上になることを検出し、電源状態信号Ｑ１１１をオン状態にする。チャンネルリスト制御部１０７は、電源状態信号Ｑ１１１がオフからオンに切り替わる状態を検出する。検出後から所定の期間は、電源オン初期期間と呼ばれる。電源オン初期期間において、チャンネルリスト制御部１０７は、記憶部１０９から、読み出し信号Ｑ１０９を介して全チャンネルリストを読み出し、チャンネルリスト保持部１０８に送る。読み出される全チャンネルリストには、少なくとも選択チャンネルリストが含まれる。チャンネルリスト保持部１０８は、記憶部１０９からの全チャンネルリストに基づいて、初期設定される。
【００４３】
一方、チャンネルリスト制御部１０７は、チャンネルリスト保持部１０８における全チャンネルリストのうち、選択チャンネルリストの情報を表す選択伝送方式情報Ｑ１０７Ｂを、ＴＳ信号選択部１１４に送る。電源オン初期期間の後、または初期スキャンの後、電源スイッチがオフされるまでの期間を表す電源オン通常期間において、選局制御部１０５は、リモートコントロールまたはＣＡＴＶ受信機２のスイッチを介して、視聴する放送チャンネル番号を入手する。入手した放送チャンネル番号に対応して、トランスモジュレーションチューナ部１０１はＴＳ信号Ｑ１０１を生成し、パススルーチューナ部１０３はＴＳ信号Ｑ１０３を生成する。ＴＳ信号選択部１１４は、選択伝送方式情報Ｑ１０７Ｂが表す放送チャンネルごとの選択伝送方式に基づいて、各ＴＳ信号Ｑ１０１、Ｑ１０３のいずれか一方を選択し、選択結果を表す選択ＴＳ信号Ｑ１１４を出力する。
【００４４】
信号処理部１１５は、選択ＴＳ信号Ｑ１１４に基づいて信号処理し、映像音声信号Ｑ１１５を表示部３に出力する。映像音声信号Ｑ１１５は、表示部３とは別の映像音声モニターに出力されるようにしてもよい。また、ＴＳ信号Ｑ１０１、Ｑ１０３をそれぞれ信号処理する２つの信号処理部を備え、この２つの信号処理部が出力する２つの映像音声信号を、選択伝送方式情報Ｑ１０７Ｂにより選択してもよい。さらに、この２つの信号処理部の内部において、互いに対応する２つの処理信号を、選択伝送方式情報Ｑ１０７Ｂにより選択してもよい。以上のように構成することにより、選択伝送方式に基づいて視聴することが可能になる。
【００４５】
次に、初期スキャンを実行する場合、チャンネルリスト制御部１０７は、初期スキャン開始信号Ｑ１０７Ｃを生成する前にまたは同時に、チャンネルリスト保持部１０８における更新チャンネルリストおよび選択チャンネルリストをリセットする。また、チャンネルリスト制御部１０７は、書き込み信号Ｑ１０７Ａを介して、記憶部１０９における更新チャンネルリストおよび選択チャンネルリストをリセットする。これにより、初期スキャンによって設定されるチャンネルリストは、初期スキャン以前のデータと混同されない。
【００４６】
ここで、選択伝送方式情報Ｑ１０７Ｂは、チャンネルリスト制御部１０７により、チャンネルリスト保持部１０８における選択チャンネルリストから生成されるが、選択チャンネルリストは、電源オン通常期間において変更されない。したがって、選択伝送方式情報Ｑ１０７Ｂも、電源オン通常期間において、保持されたまま変更されない。ただし、瞬断などによりチャンネルリスト保持部１０８の内容が消失される可能性に備えて、チャンネルリスト保持部１０８全部、または少なくとも選択チャンネルリストを保持するメモリだけ、フラッシュメモリなどの不揮発性メモリで構成してもよい。以上のように、電源オン初期期間の後、または初期スキャンの後、電源スイッチがオフされるまでの電源オン通常期間において、選択伝送方式に基づいて視聴することが可能になり、視聴時における映像および音声の切り替えショックも回避することが可能になる。
【００４７】
図２は、ＣＡＴＶ受信機２の初期スキャンを説明するフローチャートである。図３は、ＣＡＴＶ受信機２の電源スイッチオフ後の動作を説明するフローチャートである。図５Ａ、図５Ｂ、図５Ｃ、図５Ｄ、図５Ｅ、図５Ｆ、図５Ｇ、および図５Ｈは、全チャンネルリストの一例を示す模式図である。図２、図３、および図５Ａないし図５Ｈに基づいて、実施の形態１におけるＣＡＴＶ受信機２の初期スキャンおよび電源スイッチオフ後の動作について説明する。
【００４８】
図５Ａにおいて、優先伝送方式保持領域Ｆ１０およびチャンネルリスト保持領域Ｆ１１は、記憶部１０９またはチャンネルリスト保持部１０８において保持される全チャンネルリストの一例を、２つの保持領域、すなわち２つの記憶領域に分けて示している。優先伝送方式保持領域Ｆ１０は、上述した優先チャンネルリストに対応し、優先伝送方式を保持する。優先伝送方式保持領域Ｆ１０は、放送チャンネルごとに優先伝送方式の種類を保持するようにリスト化してもよいが、本例では放送チャンネルによらず同一種類であるため、リスト化していない。さらに、優先伝送方式保持領域Ｆ１０は、工場出荷時に設定され、基本的に更新はされない。本例では、トランスモジュレーション方式に設定されている。
【００４９】
チャンネルリスト保持領域Ｆ１１は、放送チャンネル番号のリスト、更新可能チャンネルリスト、および選択チャンネルリストを保持する。選択チャンネルリストは最左欄の選択伝送方式の欄に示され、更新可能チャンネルリストは、優先伝送方式の欄と非優先伝送方式の欄に分けて示される。優先伝送方式および非優先伝送方式は、それぞれ、放送チャンネルが関わる周波数チャンネルの周波数（単に放送チャンネルの周波数とも呼ぶ、単位はＭＨｚ）、ネットワークの識別子を表すネットワークＩＤ（０ｘの後の英数字が１６進数値であることを表す）、ＴＳ信号Ｑ１０１の識別子を表すＴＳＩＤ（Ｔｒａｎｓｐｏｒｔ  ｓｔｒｅａｍ  ＩＤの略であり、０ｘの後の英数字が１６進数値であることを表す）、およびエラーレート（例えば０．９Ｅ−８は０．９×１０−８を表す）に分けられる。
【００５０】
選択チャンネルリストは、チャンネルリスト制御部１０７により設定される。ネットワークＩＤおよびＴＳＩＤは、各ＳＩ／ＰＳＩ信号Ｑ１０６Ａ、Ｑ１０６Ｂから、チャンネルリスト制御部１０７により入手される。放送チャンネル番号のリストおよび放送チャンネルの周波数は、例えば製造時において記憶部１０９に格納された、ネットワークＩＤおよびＴＳＩＤと放送チャンネル番号および周波数との対応関係から、チャンネルリスト制御部１０７により入手される。エラーレートは、各品質状態信号Ｑ１０２、Ｑ１０４から、チャンネルリスト制御部１０７により入手される。
【００５１】
ステップＳ２００において、ＣＡＴＶ受信機２の初期スキャンを開始する。ＣＡＴＶ受信機２の電源スイッチはすでにオンされているので、チャンネルリスト保持部１０８にも優先伝送方式保持領域Ｆ１０に優先チャンネルリストが格納されている。しかしチャンネルリスト保持領域Ｆ１１については、チャンネルリスト保持部１０８および記憶部１０９の両方とも、リセットされる。図５Ａは、ステップＳ２００における全チャンネルリストの状態を示している。
【００５２】
ステップＳ２０１において、トランスモジュレーションチューナ部１０１は、トランスモジュレーション伝送方式のスキャン処理を、受信可能チャンネルごとに実行する。スキャン処理は、ＣＡＴＶ信号Ｑ１Ｂの周波数配列に基づき、９０ＭＨｚないし７７０ＭＨｚのＣＡＴＶ周波数帯域を、順番に選局することにより行われる。ステップＳ２０２において、チャンネルリスト制御部１０７は、入手したＳＩ／ＰＳＩ信号Ｑ１０６Ａに基づいて、チャンネルリスト保持部１０８および記憶部１０９に保持されている更新チャンネルリストを更新する。
【００５３】
ステップＳ２０３において、ＣＡＴＶ周波数帯域のすべてについて、スキャン処理を完了したかどうかを確認する。全帯域について完了していなければ、ステップＳ２０１に戻り、トランスモジュレーション方式についてまだ終了していない周波数帯域のスキャン処理を継続する。全帯域について完了していれば、トランスモジュレーション方式のスキャン処理を終了し、ステップＳ２０４に進む。
【００５４】
図５Ｂは、ステップＳ２０４の直前における全チャンネルリストの状態を示している。チャンネルリスト保持領域Ｆ１１では、スキャン処理が終了したトランスモジュレーション方式の放送チャンネルだけについて、優先伝送方式の欄に各データが書き込まれ、選択伝送方式の欄に、暫定的にトランスモジュレーション方式が書き込まれている。
【００５５】
次に、ステップＳ２０４において、パススルーチューナ部１０３は、パススルー伝送方式のスキャン処理を、受信可能チャンネルごとに実行する。スキャン処理は、ＣＡＴＶ信号Ｑ１Ｂの周波数配列に基づき、９０ＭＨｚないし７７０ＨｚのＣＡＴＶ周波数帯域を、順番に選局することにより行われる。
【００５６】
ステップＳ２０５において、チャンネルリスト制御部１０７は、トランスモジュレーション方式で受信した放送チャンネルと同一かどうかを確認する。特に、地上デジタル放送においては、それぞれの伝送方式で受信する場合があるので、確認する必要がある。同一性の確認は、ネットワークＩＤおよびＴＳＩＤによる放送チャンネルを識別する情報をもとに行う。同一の放送チャンネルでない場合、ステップＳ２１１に進み、同一の放送チャンネルの場合、ステップＳ２０６に進む。
【００５７】
ステップＳ２０６において、チャンネルリスト制御部１０７は、記憶部１０９に保持されている優先伝送方式を確認する。次に、ステップＳ２０７において、チャンネルリスト制御部１０７は、トランスモジュレーション方式の品質状態信号Ｑ１０２とパススルーの品質状態信号Ｑ１０４とを比較する。もし、優先伝送方式の品質状態が良好であれば、ステップＳ２１０に進み、ＣＡＴＶ局のメンテナンス等の影響で、優先伝送方式の品質状態が良好でなければ、ステップＳ２０８に進む。
【００５８】
ステップＳ２１０では、チャンネルリスト制御部１０７は、そのまま、優先伝送方式を選択伝送方式とし、ステップＳ２１１に進む。ステップＳ２０８では、伝送方式選択画面（図４に図示）を表示し、設置者に通知するとともに、選択伝送方式の設定を促す。ステップＳ２０９において、チャンネルリスト制御部１０７は、設置者により指定された伝送方式を選択し、ステップＳ２１１に進む。ステップＳ２１１おいて、チャンネルリスト制御部１０７は、入手したＳＩ／ＰＳＩ信号Ｑ１０６Ｂに基づいて、チャンネルリスト保持部１０８および記憶部１０９に保持されている更新チャンネルリストを更新する。チャンネルリスト制御部１０７は、同時に、選択伝送方式情報に基づいて、チャンネルリスト保持部１０８および記憶部１０９に保持されている選択チャンネルリストを更新する。
【００５９】
ステップＳ２１１おいて更新された全チャンネルリストを、図５Ｃから図５Ｆまで、４例示す。この４例において、互いに異なるところは、非優先伝送方式および選択伝送方式の欄である。図５Ｃでは、放送チャンネル０３１で非優先伝送方式が追加され、ステップＳ２０７において優先伝送方式のエラーレート（０．９Ｅ−８）と非優先伝送方式のエラーレート（２．０Ｅ−８）が比較される。その結果、優先伝送方式のエラーレートが良好なため、ステップＳ２０７において優先伝送方式が選択伝送方式になる。
【００６０】
図５Ｄおよび図５Ｅでは、それぞれ放送チャンネル０６１および放送チャンネル０７１で非優先伝送方式がさらに追加され、ステップＳ２０７において優先伝送方式のエラーレート（１．０Ｅ−８）と非優先伝送方式のエラーレート（０．０Ｅ−０）が比較される。その結果、非優先伝送方式のエラーレートが良好なため、ステップＳ２０８において伝送方式選択画面が表示され、ステップＳ２０８において設置者により指定された非優先伝送方式が選択伝送方式になる。図５Ｆでは、放送チャンネル０８１で優先伝送方式は検出されていないが、非優先伝送方式が追加される。この場合、ステップＳ２０５において同一の放送チャンネルにはなっていないため、直接ステップＳ２１１に進み、非優先伝送方式が追加された状態でチャンネルリストが更新される。
【００６１】
図２に戻り、ステップＳ２１２において、ＣＡＴＶ周波数帯域のすべてについて、スキャン処理を完了したかどうかを確認する。全帯域について完了していなければ、ステップＳ２０４に戻り、パススルー方式についてまだ終了していない周波数帯域のスキャン処理を継続する。全帯域について完了していれば、パススルー方式のスキャン処理を終了し、ステップＳ２１３に進む。ステップＳ２１３では、この取得した全チャンネルリスト情報を、ネットワーク制御部１１２を介し、ＭＩＢを用いてＣＡＴＶ局１に通知する。
【００６２】
その後、ステップＳ２１４において、チャンネルリスト制御部１０７は、更新された選択チャンネルリストに基づいて選択伝送方式情報Ｑ１０７Ｂを生成し、ＴＳ信号選択部１１４に送り、初期スキャンは終了する。チャンネルリスト制御部１０７は、選択伝送方式情報Ｑ１０７Ｂの状態を、電源状態信号Ｑ１１１がオフ状態になるまで保持する。
【００６３】
なお、上述したように、ステップＳ２０２では更新チャンネルリストが、ステップＳ２１１では更新チャンネルリストおよび選択チャンネルリストが、チャンネルリスト保持部１０８および記憶部１０９の両方において更新される。しかし、各ステップＳ２０２、Ｓ２１１では、チャンネルリスト保持部１０８だけを更新し、ステップＳ２１４において記憶部１０９をまとめて更新してもよい。まとめて更新すれば、初期スキャンに要する時間は少なくて済む。
【００６４】
また、図２のフローチャートでは、先にトランスモジュレーション方式のスキャン処理を行い、その後、パススルー方式のスキャン処理を行っていた。しかし、先にパススルー方式のスキャン処理を行い、その後、トランスモジュレーション方式のスキャン処理を行っても、初期スキャンは同等な結果を得ることができる。
【００６５】
なお、上述したように、更新チャンネルリストには、図５Ａないし図５Ｆのように、優先伝送方式と非優先伝送方式のチャンネルリスト情報が両方とも含まれるとしたが、図５Ｇのように、選択伝送方式に対応するチャンネルリスト情報のみが含まれるとしてもよい。すなわち図５Ｇでは、放送チャンネル０１１ないし０５１が、図５Ｆの選択伝送方式に対応するトランスモジュレーション方式のチャンネルリスト情報を備え、放送チャンネル０６１ないし０８１が、図５Ｆの選択伝送方式に対応するパススルー方式のチャンネルリスト情報を備える。これにより記憶部１０９の記憶容量およびチャンネルリスト保持部１０８の保持容量を、小さくすることができる。
【００６６】
この場合、図２のフローチャートでは、まずステップＳ２０１ないしステップＳ２０３において、トランスモジュレーション方式のスキャンを実施し、更新チャンネルリストを更新する。次に、ステップＳ２０４ないしステップＳ２１２において、パススルー方式のスキャンを実施する。パススルー方式のスキャンを行っている間、トランスモジュレーション方式よりもパススルー方式を選択したときのみ、ステップＳ２１１においてパススルー方式の更新チャンネルリストを、トランスモジュレーション方式の更新チャンネルリストに上書き更新する。同時に、選択チャンネルリストにパススルー方式を設定する。
【００６７】
もしくは、優先伝送方式であるトランスモジュレーション方式を常に優先するとした場合、非優先伝送方式であるパススルー方式のスキャンを先に実施して、更新チャンネルリストを更新する。次に、トランスモジュレーション方式のスキャンを実施して、トランスモジュレーション方式の更新チャンネルリストを、パススルー方式の更新チャンネルリストに上書き更新する。同時に、選択チャンネルリストにトランスモジュレーション方式を設定する。
【００６８】
次に、図３に示すフローチャートを用いて、同一放送チャンネルで両伝送方式を検出した場合の電源スイッチオフ後の処理について説明する。
【００６９】
ステップＳ３００において、チャンネルリスト制御部１０７は、電源状態検出部１１１からの電源スイッチがオフされたことを検出すると、放送チャンネルごとに全チャンネルリストの検査を開始する。ステップＳ３０１において、チャンネルリスト制御部１０７は、検査している放送チャンネルが優先伝送方式を選択しているかどうかを確認する。選択していた場合、ステップＳ３０７に進む。選択していない場合、ステップＳ３０２において、定期的に各品質状態信号Ｑ１０２、Ｑ１０４を取得する。
【００７０】
次に、ステップＳ３０３において、チャンネルリスト制御部１０７は、優先伝送方式と非優先伝送方式の品質状態を比較する。優先伝送方式の品質状態が非優先伝送方式よりも良好でない場合、ステップＳ３０５に進む。優先伝送方式の品質状態が非優先伝送方式よりも良好になった場合、ステップＳ３０４において、チャンネルリスト制御部１０７は、チャンネルリスト保持部１０８の全チャンネルリストを更新し、ステップＳ３０５に進む。
【００７１】
次に、ステップＳ３０５において、チャンネルリスト制御部１０７は、ＣＡＴＶ局１からネットワーク制御部１０８経由で、優先伝送方式への変更要求があったかどうかを確認する。変更要求がなければ、ステップＳ３０７に進み、変更要求があれば、ステップＳ３０６において、チャンネルリスト制御部１０７は、選択伝送方式を優先伝送方式に変更し、全チャンネルリストを更新する。ステップＳ３０５におけるＣＡＴＶ局１からの要求が、ステップＳ３０３における品質状態に基づく判断よりも優先するため、ステップＳ３０５はステップＳ３０３の後に処理される。
【００７２】
図５Ｈは、ステップＳ３０６において更新された全チャンネルリストの一例である。図５Ｆと比較して、放送チャンネル０６１の選択伝送方式が、非優先伝送方式（パススルー）から優先伝送方式（トランスモジュレーション）に変更されている。
【００７３】
図３に戻り、ステップＳ３０７において、全チャンネルリストの全放送チャンネルについて検査が完了したかどうかを確認する。完了していればステップＳ３０８に進み、完了していなければステップＳ３０１に戻り、まだ終了していない放送チャンネルの検査を継続する。次に、ステップＳ３０８において、チャンネルリスト制御部１０７は、チャンネルリスト保持部１０８の全チャンネルリストを、記憶部１０９に書き込み、ＣＡＴＶ受信機２の電源を、実際にオフする。記憶部１０９に書き込まれる全チャンネルリストには、少なくとも選択チャンネルリストが含まれる。
【００７４】
上述したように、ＣＡＴＶ受信機２は、各チューナ部１０１、１０３と、記憶部１０９と、デコーダ部１０６およびチャンネルリスト制御部１０７で構成される伝送方式選択部と、ＴＳ信号選択部１１４とを有する。チューナ部１０１、１０３は、２つの伝送方式で送られて来た信号の選局および復調をそれぞれ行い、ＴＳ信号Ｑ１０１、Ｑ１０３を出力する。記憶部１０９は、ある放送チャンネルに対し、ＴＳ信号Ｑ１０１、Ｑ１０３の両方が存在する場合、いずれを優先させるかを表す優先伝送方式情報を、あらかじめ記憶する。伝送方式選択部は、優先伝送方式情報およびＴＳ信号Ｑ１０１、Ｑ１０３に基づいて、伝送方式を選択し、選択伝送方式情報Ｑ１０７Ｂを生成する。ＴＳ信号選択部１１４は、選択伝送方式情報Ｑ１０７Ｂに基づいて、各ＴＳ信号Ｑ１０１、Ｑ１０３のいずれか一方を選択する。
【００７５】
以上のように構成することにより、同一放送チャンネルを２つの伝送方式で受信した場合でも、ＴＳ信号を、優先伝送方式情報により一義的に選択することが可能となる。記憶部１０９にあらかじめ記憶される優先伝送方式情報には、ＣＡＴＶ局１の要求仕様が含まれる。ＣＡＴＶ局１は、この要求仕様に従って各加入者宅のＣＡＴＶ受信機２を、ＣＡＴＶ局１から集中的に設定することができる。
【００７６】
さらに、ＣＡＴＶ受信機２の電源スイッチがオフされるごとに、電源維持期間の間に、記憶部１０９は選択伝送方式情報を記憶する。電源スイッチがオンされると、伝送方式選択部は選択伝送方式情報を記憶部１０９から読み出し、ＴＳ信号選択部１１４は、選択伝送方式情報に基づいて各ＴＳ信号Ｑ１０１、Ｑ１０３のいずれか一方を選択する。これにより、ＣＡＴＶ受信機２の電源がオフされ、その後オンされても、選択伝送方式情報は保持され、ＴＳ信号選択部１１４は、各ＴＳ信号Ｑ１０１、Ｑ１０３のうち、電源がオフされる前と同一のＴＳ信号を選択することが可能になる。
【００７７】
さらに、ＣＡＴＶ受信機２は、品質状態検出部１０２、１０４を有し、それぞれＴＳ信号Ｑ１０１、Ｑ１０３のエラーレートを検出する。さらに、ＣＡＴＶ受信機２は、伝送方式選択画面生成部１１０を有し、優先伝送方式のエラーレートが非優先伝送方式よりも高い場合、伝送方式選択画面生成部１１０により選択伝送方式を任意で設定する。これにより、優先伝送方式のエラーレートが悪化している場合、非優先伝送方式を選択でき、また、優先伝送方式のエラーレートが悪化している原因が一時的とわかっている場合には、引き続き優先伝送方式を選択することもできる。このように諸条件が重なって、一義的な判断が困難な場合でも、設置者による判断を加えることができ、柔軟に対応可能となる。
【００７８】
また、電源スイッチがオフされるごとに、電源維持期間の間に、各ＴＳ信号Ｑ１０１、Ｑ１０３のエラーレートを検出し、優先伝送方式のエラーレートが非優先伝送方式よりも低下していれば、選択伝送方式を優先伝送方式に変更する。これにより、電源スイッチがオフされるごとに検査するため、タイマーを必要とせず、また、電源スイッチのオフ後に変更するため、ＴＳ信号選択部１１４の選択実行に悪影響を与えず、映像障害を発生させない。
【００７９】
さらに、ＣＡＴＶ受信機２は、ネットワーク制御部１１２を有し、選択伝送方式情報をＣＡＴＶ局１に送る。ＣＡＴＶ局１は、選択伝送方式情報を調べ、必要であれば、選択伝送方式の変更要求を、ＣＡＴＶ受信機２に送る。伝送方式選択部は、電源スイッチがオフされるごとに、電源維持期間の間に、ネットワーク制御部１１２からの変更要求の有無を調べ、変更要求があれば、優先伝送方式を選択伝送方式に設定する。これにより、ＣＡＴＶ局１は、ケーブルを介して各加入者宅のＣＡＴＶ受信機２における選択伝送方式情報の状態を把握し、適切な判断の下に、選択伝送方式を変更することが可能となる。
【００８０】
以上のように、放送チャンネルごとに最良の伝送方式を決定することが可能となり、視聴者やＣＡＴＶ局にとって、最良の伝送方式で視聴することができる。
【００８１】
なお、実施の形態１では、２つの伝送方式として、トランスモジュレーション方式とパススルー方式を検討した。ＣＡＴＶの伝送方式としては、その他にリマックス方式がある。しかしリマックス方式は、トランスモジュレーション方式と同様にＱＡＭ方式を用いるため、上述したトランスモジュレーション方式の構成と同様に、説明することができる。
【００８２】
米国および欧州など日本以外の世界各国においても、変調方式は日本とは若干または大幅に異なるが、地上デジタル放送を、デジタルＣＡＴＶを介して伝送する場合、日本と同様な問題が生じる。この場合も、上述のように２つの伝送方式の処理に従えば、同様に解決される。
【００８３】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【００８４】
本発明は、ケーブルテレビ受信機およびケーブルテレビ受信方法に利用できる。
【図面の簡単な説明】
【００８５】
【図１】実施の形態１におけるＣＡＴＶ受信機を含むＣＡＴＶシステムのブロック図。
【図２】実施の形態１におけるＣＡＴＶ受信機の選局を説明するフローチャート。
【図３】実施の形態１におけるＣＡＴＶ受信機の電源スイッチオフ後の動作を説明するフローチャート。
【図４】実施の形態１における表示部の表示例を示す模式図。
【図５Ａ】実施の形態１におけるＣＡＴＶ受信機の全チャンネルリストの一例を示す模式図。
【図５Ｂ】実施の形態１におけるＣＡＴＶ受信機の全チャンネルリストの一例を示す模式図。
【図５Ｃ】実施の形態１におけるＣＡＴＶ受信機の全チャンネルリストの一例を示す模式図。
【図５Ｄ】実施の形態１におけるＣＡＴＶ受信機の全チャンネルリストの一例を示す模式図。
【図５Ｅ】実施の形態１におけるＣＡＴＶ受信機の全チャンネルリストの一例を示す模式図。
【図５Ｆ】実施の形態１におけるＣＡＴＶ受信機の全チャンネルリストの一例を示す模式図。
【図５Ｇ】実施の形態１におけるＣＡＴＶ受信機の全チャンネルリストの一例を示す模式図。
【図５Ｈ】実施の形態１におけるＣＡＴＶ受信機の全チャンネルリストの一例を示す模式図。
【図６】従来例におけるＣＡＴＶ受信機の基本構成を示すフローチャート。
【符号の説明】
【００８６】
１  ＣＡＴＶ局
２  ＣＡＴＶ受信機
３  表示部
１０１  トランスモジュレーションチューナ部
１０２、１０４  品質状態検出部
１０３  パススルーチューナ部
１０５  選局制御部
１０６  デコーダ部
１０７  チャンネルリスト制御部
１０８  チャンネルリスト保持部
１０９  記憶部
１１０  伝送方式選択画面生成部
１１１  電源状態検出部
１１２  ネットワーク制御部
１１４  ＴＳ信号選択部
１１５  信号処理部
【図１】
2008206112.tif 000003
【図２】
2008206112.tif 000004
【図３】
2008206112.tif 000005
【図４】
2008206112.tif 000006
【図５Ａ】
2008206112.tif 000007
【図５Ｂ】
2008206112.tif 000008
【図５Ｃ】
2008206112.tif 000009
【図５Ｄ】
2008206112.tif 000010
【図５Ｅ】
2008206112.tif 000011
【図５Ｆ】
2008206112.tif 000012
【図５Ｇ】
2008206112.tif 000013
【図５Ｈ】
2008206112.tif 000014
【図６】
2008206112.tif 000015